(57)【要約】【課題】液晶表示装置におけるガンマ特性の温度依存性を補正する。【解決手段】階調基準電圧生成回路１１は、液晶表示装置１０において液晶パネル１３に供給される液晶印加電圧ＶＳを生成する際の基準電圧となる階調基準電圧Ｖ０〜Ｖ９を生成する。階調基準電圧生成回路１１は、端子１４ａ，１４ｂおよび抵抗ブロック２０〜３０を備える。端子１４ａ，１４ｂ間には所定電圧が印加される。抵抗ブロック２０〜３０は、端子１４ａ，１４ｂ間に直列に接続され、所定電圧をそれぞれの抵抗値で分圧することによって階調基準電圧Ｖ０〜Ｖ９を生成する。抵抗ブロック２０〜３０の少なくとも一つは測温抵抗体素子を有する。測温抵抗体素子は、階調基準電圧Ｖ０〜Ｖ９を基準電圧として生成される液晶印加電圧ＶＳによって液晶パネル１３が駆動される場合に、液晶表示装置１０のガンマ特性の温度依存性を低減するような温度抵抗特性を有する。【選択図】図１
2018116133.tif 000002
【特許請求の範囲】
【請求項１】
液晶表示装置において液晶パネルに供給される液晶印加電圧を生成する際の基準電圧となる複数の階調基準電圧を生成する階調基準電圧生成回路であって、
端子間に所定電圧が印加される２つの端子と、
前記端子間に直列に接続され、前記所定電圧をそれぞれの抵抗値で分圧することによって前記複数の階調基準電圧を生成する複数の抵抗ブロックと
を備え、
前記複数の抵抗ブロックの少なくとも一つは測温抵抗体素子を有し、
前記測温抵抗体素子は、前記複数の階調基準電圧を基準電圧として生成される前記液晶印加電圧によって前記液晶パネルが駆動される場合に、前記液晶表示装置のガンマ特性の温度依存性を補正するような温度抵抗特性を有する、階調基準電圧生成回路。
【請求項２】
請求項１に記載の階調基準電圧生成回路であって、
前記複数の階調基準電圧は、当該複数の階調基準電圧を基準電圧として前記液晶印加電圧を生成する外部の表示ドライバに供給される、階調基準電圧生成回路。
【請求項３】
請求項１または請求項２に記載の階調基準電圧生成回路であって、
複数のボルテージフォロワ回路をさらに備え、
前記複数の階調基準電圧は、それぞれ、前記複数のボルテージフォロワ回路を介して出力される、階調基準電圧生成回路。
【請求項４】
請求項１から請求項３のいずれか一項に記載の階調基準電圧生成回路であって、
前記測温抵抗体素子を有する前記抵抗ブロックは、
前記測温抵抗体素子に並列に接続された抵抗器をさらに有する、階調基準電圧生成回路。
【請求項５】
請求項１から請求項３のいずれか一項に記載の階調基準電圧生成回路であって、
前記測温抵抗体素子を有する前記抵抗ブロックは、
前記測温抵抗体素子に直列に接続された第１の抵抗器と、
前記測温抵抗体素子および前記第１の抵抗器に並列に接続された第２の抵抗器と、
前記第１の抵抗器および前記第２の抵抗器、または前記測温抵抗体素子および前記第２の抵抗器に直列に接続された第３の抵抗器と
をさらに有する、階調基準電圧生成回路。
【請求項６】
請求項１から請求項５のいずれか一項に記載の階調基準電圧生成回路であって、
前記測温抵抗体素子はサーミスタである、階調基準電圧生成回路。
【請求項７】
請求項１から請求項５のいずれか一項に記載の階調基準電圧生成回路であって、
前記測温抵抗体素子はリニア抵抗器である、階調基準電圧生成回路。
【請求項８】
請求項１から請求項５のいずれか一項に記載の階調基準電圧生成回路であって、
前記測温抵抗体素子は白金測温抵抗体である、階調基準電圧生成回路。
【請求項９】
請求項１から請求項５のいずれか一項に記載の階調基準電圧生成回路であって、
前記測温抵抗体素子は、温度抵抗特性が異なる複数種類の測温抵抗体素子からなる、階調基準電圧生成回路。
【請求項１０】
請求項１から請求項３のいずれか一項に記載の階調基準電圧生成回路であって、
前記測温抵抗体素子を第１の測温抵抗体素子とし、
前記第１の測温抵抗体素子を有する前記抵抗ブロックは、
前記第１の測温抵抗体素子に直列に接続された第２の測温抵抗体素子と、
前記第１の測温抵抗体素子および前記第２の測温抵抗体素子に並列に接続された抵抗器と、をさらに有する、階調基準電圧生成回路。
【請求項１１】
請求項１０に記載の階調基準電圧生成回路であって、
前記第１の測温抵抗体素子および前記第２の測温抵抗体素子の少なくとも一方は、サーミスタである、階調基準電圧生成回路。
【請求項１２】
請求項１０に記載の階調基準電圧生成回路であって、
前記第１の測温抵抗体素子および前記第２の測温抵抗体素子の少なくとも一方は、リニア抵抗器である、階調基準電圧生成回路。
【請求項１３】
請求項１０に記載の階調基準電圧生成回路であって、
前記第１の測温抵抗体素子および前記第２の測温抵抗体素子の少なくとも一方は、白金測温抵抗体である、階調基準電圧生成回路。
【請求項１４】
請求項１０に記載の階調基準電圧生成回路であって、
前記第１の測温抵抗体素子および前記第２の測温抵抗体素子の少なくとも一方は、温度抵抗特性が異なる複数種類の測温抵抗体素子からなる、階調基準電圧生成回路。
【請求項１５】
請求項１から請求項１４のいずれか一項に記載の階調基準電圧生成回路であって、
前記測温抵抗体素子は、前記複数の階調基準電圧を基準電圧として生成される前記液晶印加電圧によって前記液晶パネルが駆動される場合に、前記液晶表示装置のコントラストの温度依存性を補正するような温度抵抗特性を有する、階調基準電圧生成回路。
【請求項１６】
請求項１から請求項１５のいずれか一項に記載の階調基準電圧生成回路であって、
前記測温抵抗体素子は、前記複数の階調基準電圧を基準電圧として画像信号の階調に応じて生成される前記液晶印加電圧が、前記階調に応じて変化するようなＤＣオフセットを有する場合に、前記ＤＣオフセットの温度依存性を補正するような温度抵抗特性を有する、階調基準電圧生成回路。
【請求項１７】
請求項１から請求項１６のいずれか一項に記載の階調基準電圧生成回路を備える、液晶表示装置の駆動装置。
【請求項１８】
請求項１から請求項１６のいずれか一項に記載の階調基準電圧生成回路を備える、液晶表示装置。
【発明の詳細な説明】
【技術分野】
【０００１】
本発明は、液晶表示装置において液晶パネルに供給される液晶印加電圧を生成する際の基準電圧となる複数の階調基準電圧を生成する階調基準電圧生成回路、当該階調基準電圧生成回路を備える液晶表示装置の駆動装置、および当該階調基準電圧生成回路を備える液晶表示装置に関するものである。
【背景技術】
【０００２】
液晶表示装置は、ノートＰＣ、テレビ、携帯電話等、多くの技術分野で応用製品が使用されている。近年では車載、産業用途において、より広い温度範囲において動作する液晶表示装置が求められる。
【０００３】
一方、従来の液晶表示装置においては、液晶パネル特有の温度依存性によって、画素が同じ明るさを出力するために必要な液晶印加電圧が周囲の温度によって変化する。すなわち、液晶パネルが同じ階調の画像信号に基づく画像を表示する場合であっても、周囲の温度によって表示画像の明るさが変化する。そのため、周囲の温度変化によって、白つぶれあるいは黒浮きが発生するなど、表示画像の見え方が変化するという問題がある。
【０００４】
液晶表示装置において周囲の温度変化による表示品質の低下を抑制する方法として、例えば特許文献１には、温度によって抵抗値が変化するサーミスタを用いてコントラスト制御電圧を生成し、コントラスト制御電圧の最適値の温度変化を保障する際の補償誤差のバラつきを少なくし、液晶表示装置の周囲の温度が変動しても安定して画像を表示することができる、液晶表示装置用のコントラスト調整回路に関する技術が開示されている。
【先行技術文献】
【特許文献】
【０００５】
【特許文献１】特開平１０−３９２７９号公報
【発明の概要】
【発明が解決しようとする課題】
【０００６】
しかしながら、液晶表示装置における画像信号の階調と明るさとの関係（「ガンマ特性」とも呼ばれる）の温度依存性は、画像信号の階調に対して一様でないことから、特許文献１に記載の技術のようにサーミスタによって一つの基準電圧の温度依存性を調整するだけでは、ガンマ特性の温度依存性の補正を行うことは難しい。ここで、サーミスタに代表される測温抵抗体素子は、金属の電気抵抗率が温度に比例して変わることを利用した温度センサーである。
【０００７】
また、ガンマ特性の温度依存性をデジタル的に補正する手段として、温度別に同じ明るさとなるような階調データを参照テーブルへ予め保存しておき、温度センサーから出力される信号に応じて、参照テーブルの階調データに従って読み替えを行った階調を出力する方法が存在する。この方法によると１つのサーミスタによってガンマ特性の温度依存性を補正することが可能であるが、制御回路が複雑になるという問題がある。また、参照テーブル上に存在しない温度においては、周囲の温度に最適ではない階調が選択される可能性が考えられる。
【０００８】
そこで、本発明は上記のような問題点を解決するためになされたものであって、温度別に対応した階調データが保存された参照テーブルを用いることのない比較的単純なアナログ回路によって、周囲の温度に応じて液晶表示装置におけるガンマ特性の温度依存性をリニアに補正することが可能な階調基準電圧生成回路、当該階調基準電圧を備える液晶表示装置の駆動装置、および当該階調基準電圧生成回路を備える液晶表示装置を提供することを目的とする。
【課題を解決するための手段】
【０００９】
本発明に係る階調基準電圧生成回路は、液晶表示装置において液晶パネルに供給される液晶印加電圧を生成する際の基準電圧となる複数の階調基準電圧を生成する階調基準電圧生成回路である。階調基準電圧生成回路は、２つの端子と、複数の抵抗ブロックとを備える。２つの端子間には所定電圧が印加される。複数の抵抗ブロックは、２つの端子間に直列に接続され、所定電圧をそれぞれの抵抗値で分圧することによって複数の階調基準電圧を生成する。複数の抵抗ブロックの少なくとも一つは測温抵抗体素子を有する。測温抵抗体素子は、複数の階調基準電圧を基準電圧として生成される液晶印加電圧によって液晶パネルが駆動される場合に、液晶表示装置のガンマ特性の温度依存性を補正するような温度抵抗特性を有する。
【発明の効果】
【００１０】
本発明によれば、複数の階調基準電圧を生成する複数の抵抗ブロックの少なくとも一つは測温抵抗体素子を有する。当該測温抵抗体素子は、複数の階調基準電圧を基準電圧として生成される液晶印加電圧によって液晶パネルが駆動される場合に、液晶表示装置のガンマ特性の温度依存性を補正するような温度抵抗特性を有する。これにより、周囲の温度に応じて液晶表示装置におけるガンマ特性の温度依存性をリニアに補正することが可能となる。
【図面の簡単な説明】
【００１１】
【図１】実施の形態１に係る液晶表示装置の構成を示すブロック図である。
【図２】実施の形態１に係る表示ドライバにおける画像信号の階調と液晶印加電圧との関係を示す図である。
【図３】液晶パネルにおける液晶印加電圧と透過率との関係の温度依存性を示す図である。
【図４】比較例に係る液晶表示装置におけるガンマ特性の温度依存性を示す図である。
【図５】各温度における抵抗ブロックの抵抗値および理想抵抗値を示す図である。
【図６】実施の形態１に係る液晶表示装置におけるガンマ特性の温度依存性を示す図である。
【図７】実施の形態１の第１変形例に係る抵抗ブロックの構成を示す図である。
【図８】実施の形態１の第２変形例に係る抵抗ブロックの構成を示す図である。
【図９】実施の形態２に係る液晶表示装置の構成を示すブロック図である。
【図１０】実施の形態３に係る表示ドライバにおける画像信号の階調と液晶印加電圧との関係を示す図である。
【発明を実施するための形態】
【００１２】
以下、本発明の実施の形態について図面に基づいて説明する。
【００１３】
＜実施の形態１＞
＜液晶表示装置＞
図１は、本発明の実施の形態１に係る液晶表示装置１０の構成の一例を示すブロック図である。図１に示されるように、液晶表示装置１０は、駆動装置１５および液晶パネル１３を備える。駆動装置１５は、階調基準電圧生成回路１１および表示ドライバ１２を備え、液晶パネル１３を駆動する。
【００１４】
階調基準電圧生成回路１１は階調基準電圧Ｖ０〜Ｖ９を生成する。表示ドライバ１２は、階調基準電圧Ｖ０〜Ｖ９を基準電圧として、画像信号ＩＳの階調に応じた液晶印加電圧ＶＳを生成し、液晶パネル１３に供給する。液晶パネル１３は液晶印加電圧ＶＳに基づいて駆動され、画像信号ＩＳに基づいた画像を表示する。
【００１５】
階調基準電圧生成回路１１は、液晶表示装置１０におけるガンマ特性の温度依存性を補正する機能を有しており、周囲の温度に応じた階調基準電圧Ｖ０〜Ｖ９を生成する。以下、階調基準電圧生成回路１１が生成する階調基準電圧Ｖ０〜Ｖ９によって液晶表示装置１０におけるガンマ特性の温度依存性を補正する機能の詳細について説明する。
【００１６】
＜階調基準電圧生成回路＞
まず、階調基準電圧生成回路１１について詳細に説明する。図１に示されるように、階調基準電圧生成回路１１は、端子１４ａ，１４ｂ、抵抗ブロック２０〜３０およびバッファ回路ＢＦ０〜ＢＦ９を備える。
【００１７】
端子１４ａには所定電圧のアナログ電源電圧ＶＲが接続され、端子１４ｂは接地されおり、端子１４ａ，１４ｂ間に所定電圧が印加されている。
【００１８】
抵抗ブロック２０，２５および３０は、それぞれ、抵抗器Ｒ０，Ｒ５およびＲ１０を備える。抵抗ブロック２１は、並列に接続されたサーミスタＴＨ１および抵抗器Ｒ１を備える。抵抗ブロック２１と同様に、抵抗ブロック２２〜２４，２６〜２９は、それぞれ、抵抗器Ｒ２〜Ｒ４，Ｒ６〜Ｒ９と、抵抗器Ｒ２〜Ｒ４，Ｒ６〜Ｒ９にそれぞれ並列に接続されたサーミスタＴＨ２〜ＴＨ４，ＴＨ６〜ＴＨ９とを備える。
【００１９】
抵抗ブロック２０〜３０はその順で端子１４ａ，１４ｂ間に直列に接続されている。つまり、抵抗器Ｒ０〜Ｒ１０がその順で端子１４ａ，１４ｂ間に直列に接続されており、サーミスタＴＨ１〜ＴＨ４，ＴＨ６〜ＴＨ９が、それぞれ、抵抗器Ｒ１〜Ｒ４，Ｒ６〜Ｒ９に並列に接続されている。
【００２０】
抵抗ブロック２０〜３０は、アナログ電源電圧ＶＲをそれぞれの抵抗値で分圧することによって階調基準電圧Ｖ０〜Ｖ９を生成する。なお、本実施の形態における液晶パネル１３は、交流駆動方式によって駆動され、階調基準電圧Ｖ０〜Ｖ４が正極性側の階調基準電圧となり、階調基準電圧Ｖ５〜Ｖ９が負極性側の階調基準電圧となる。
【００２１】
バッファ回路ＢＦ０〜ＢＦ９は、本実施の形態ではオペアンプによって構成されるボルテージフォロワ回路である。抵抗ブロック２０〜３０で分圧されて生成された複数の電圧は、バッファ回路ＢＦ０〜ＢＦ９を介して階調基準電圧Ｖ０〜Ｖ９として出力される。
【００２２】
サーミスタＴＨ１〜ＴＨ４，ＴＨ６〜ＴＨ９は、いわゆる測温抵抗体素子であって、周囲の温度変化に応じて抵抗値が変化する。抵抗ブロック２１は、抵抗器Ｒ１とサーミスタＴＨ１とからなる並列回路で構成されており、抵抗ブロック２１の抵抗値は周囲の温度に応じて変化する。同様に、抵抗ブロック２２〜２４，２６〜２９それぞれの抵抗値も周囲の温度に応じて変化する。したがって、抵抗ブロック２０〜３０で分圧されて生成される階調基準電圧Ｖ０〜Ｖ９を周囲の温度により変化させることができる。
【００２３】
＜表示ドライバ＞
次に、表示ドライバ１２について詳細に説明する。表示ドライバ１２は、階調基準電圧生成回路１１より供給される階調基準電圧Ｖ０〜Ｖ９を基準電圧として、画像信号ＩＳの階調に対応する液晶印加電圧ＶＳを生成する。階調基準電圧Ｖ０〜Ｖ９間の各電圧は表示ドライバ１２の特性により決まる。
【００２４】
図２は、表示ドライバ１２における、入力される画像信号ＩＳの階調と液晶パネル１３に供給する液晶印加電圧ＶＳとの関係を示す図である。図２に示されるように、階調２５５，２２４，１２８，３２および０に対応する正極性側の液晶印加電圧ＶＳは、それぞれ、階調基準電圧Ｖ０〜Ｖ４によって生成される。また、階調２５５，２２４，１２８，３２および０に対応する負極性側の液晶印加電圧ＶＳは、それぞれ、階調基準電圧Ｖ９〜Ｖ５によって生成される。
【００２５】
＜ガンマ特性の温度依存性＞
以下では、液晶表示装置におけるガンマ特性の温度依存性について説明する。図３は、液晶パネル１３における、液晶印加電圧ＶＳと透過率との関係の周囲の温度依存性を示す図である。図３では、低温、常温および高温の３つの周囲温度における液晶印加電圧と透過率との関係を、それぞれ、短破線、実線および長破線にて示している。図３のグラフは、３つの周囲温度それぞれにおける最大の透過率で正規化されている。
【００２６】
本実施の形態に係る液晶表示装置１０が備える液晶パネル１３は、図３に示されるように、液晶印加電圧ＶＳが高いほど画素の透過率が高くなるノーマリーブラック型の液晶パネルである。図３に示されるように、液晶印加電圧ＶＳに対する画素の透過率は周囲の温度によって変化し、その変化の割合は一様ではない。そのため、従来の液晶表示装置におけるガンマ特性は周囲の温度によって変化し、またその変化の割合は一様でない。
【００２７】
図４は、比較例に係る液晶表示装置のガンマ特性の温度依存性の一例を示す図である。本比較例での液晶表示装置は、ガンマ特性の温度依存性を低減する機能を有していない。なお、本比較例の液晶表示装置はノーマリーブラック型の液晶パネルを備えている。図４では、０℃（低温）、２５℃（常温）および５０℃（高温）における画像信号の階調と、階調２５５の輝度で正規化された相対輝度との関係を、それぞれ、短破線、実線および長破線で示している。本比較例においては、図４に示されるように、周囲の温度が低下した場合、ガンマ特性は同じ階調であっても明るさは常温に比べ暗くなる方向へ変化する。したがって、ガンマ特性を周囲の温度変化に対して一定に保つには、各階調基準電圧を個別に調整し、液晶印加電圧を変化させる必要がある。
【００２８】
そのため本実施の形態に係る液晶表示装置１０が備える階調基準電圧生成回路１１に使用するサーミスタＴＨ１〜ＴＨ４，ＴＨ６〜ＴＨ９を、液晶パネル１３の透過率の温度依存性に合わせ、温度変化に対する抵抗値の変化の割合（「Ｂ定数」と呼ばれる）と基準抵抗値とに基づいて選択する。一般的に、サーミスタの抵抗値の温度抵抗特性は、液晶印加電圧が必要とする抵抗値の変化に対して大きいことから、本実施の形態のように、サーミスタと抵抗器との並列回路とすることで合成抵抗値を調整するのが好ましい。
【００２９】
図４に示されるように、ノーマリーブラック型の液晶パネルにおいて周囲の温度が低下した場合、ガンマ特性は同じ階調であっても明るさは常温に比べ、暗くなる方向へ変化する。これを常温と同じ明るさに補正するには常温より高い液晶印加電圧ＶＳが必要となる。常温と同じ明るさとなる液晶印加電圧ＶＳは、その温度における液晶印加電圧ＶＳと透過率との関係より見積もることができ、必要となる抵抗値（以下では、「理想抵抗値」とも呼ぶ）が求められる。各温度における理想抵抗値と、サーミスタおよび抵抗器の合成抵抗値とのずれを小さくすることで、ガンマ特性の温度依存性をよりよく補正することができる。
【００３０】
図５は、各温度における抵抗ブロックの抵抗値および理想抵抗値を示す図である。図５では、抵抗ブロック２１を例に、周囲温度が０℃〜５０℃の５℃刻みの各温度における、サーミスタＴＨ１の抵抗値、抵抗器Ｒ１の抵抗値、サーミスタＴＨ１と抵抗器Ｒ１との合成抵抗値と、理想抵抗値とを示している。図５に示されるように、例えば、抵抗ブロック２１における、周囲温度が０℃、２０℃および５０℃での理想抵抗値が、それぞれ、１７３．２Ω、１１０．６Ωおよび５４．５Ωであったとする。この場合、周囲温度が０℃、２０℃および５０℃において、サーミスタＴＨ１および抵抗器Ｒ１の合成抵抗値が理想抵抗値に近づくようにサーミスタＴＨ１および抵抗器Ｒ１の選定を行う。その結果、サーミスタＴＨ１を周囲の温度の低下により抵抗値が増加するネガティブ型のサーミスタとし、そのＢ定数を３５００、基準抵抗値を２２０Ωとする。また、抵抗器Ｒ１の抵抗値を２４０Ωとする。これにより、図５の例において、液晶パネル１３の液晶印加電圧ＶＳと透過率との温度依存性による理想抵抗値からのずれを小さくすることができる。
【００３１】
同様に、その他の抵抗ブロックの抵抗値についても、サーミスタと、抵抗器との合成抵抗値を調整することにより、各温度における各抵抗ブロックの抵抗値の比率を任意に調整することが可能となる。これにより、階調基準電圧Ｖ０〜Ｖ９それぞれで異なる温度依存性を持たせることが可能となり、各温度で必要な階調基準電圧Ｖ０〜Ｖ９を得ることができる。
【００３２】
図６は、実施の形態１に係る液晶表示装置１０におけるガンマ特性の温度依存性の一例を示す図である。図６では、０℃（低温）、２５℃（常温）および５０℃（高温）における画像信号ＩＳの階調と、階調２５５の輝度で正規化された相対輝度との関係を、それぞれ、短破線、実線および長破線で示している。
【００３３】
図６に示されるように、図４に示した比較例に係る液晶表示装置のガンマ特性と比較して、周囲の温度が変化した場合においてガンマ特性の温度依存性が補正され、常温時のからのずれが小さくなっている。
【００３４】
以上のように、本実施の形態に係る液晶表示装置１０における階調基準電圧生成回路１１において、抵抗ブロック２０〜３０の抵抗値は、サーミスタＴＨ１〜ＴＨ４，ＴＨ６〜ＴＨ９と、抵抗器Ｒ０〜Ｒ１０とを調整することにより、その比率を任意に調整することが可能となっている。これにより、各温度で必要な階調基準電圧Ｖ０〜Ｖ９が得られるように、Ｖ０〜Ｖ９間の端子間抵抗比率を得ることができる。よって、液晶表示装置１０におけるガンマ特性の温度依存性を補正することができる。その結果、液晶表示装置１０において、広い温度範囲で高品質の画像表示が可能となる。
【００３５】
＜実施の形態１の各種変形例＞
上記説明では、抵抗ブロック２０，２５および３０のそれぞれは１つの抵抗器により構成されており、抵抗ブロック２１〜２４，２６〜２９のそれぞれは１つの抵抗器と１つのサーミスタとの並列回路により構成されていたが、特に本構成に限定するものでない。液晶表示装置の特性に応じて、抵抗ブロック２０〜３０のそれぞれが有する抵抗器は複数であってもよいし、サーミスタも複数であってもよい。また、抵抗ブロック２０〜３０は、抵抗器とサーミスタとの直列回路または並列回路で構成してもよいし、さらに抵抗器またはサーミスタを直列または並列に組み合わせて構成してもよい。以下では、抵抗ブロック２０〜３０の構成を変更した各種変形例について説明する。
【００３６】
＜実施の形態１の第１変形例＞
実施の形態１の第１変形例に係る階調基準電圧生成回路は、実施の形態１に係る階調基準電圧生成回路１１と比較して、抵抗ブロック２１にかわり抵抗ブロック２１Ａを備える。
【００３７】
図７は、本変形例における抵抗ブロック２１Ａの構成の一例を示す図である。図７に示されるように、抵抗ブロック２１Ａは、サーミスタＴＨ１と、サーミスタＴＨ１に直列に接続された第１の抵抗器である抵抗器Ｒ１ａと、サーミスタＴＨ１および抵抗器Ｒ１ａに並列に接続された第２の抵抗器である抵抗器Ｒ１ｂと、抵抗器Ｒ１ａおよび抵抗器Ｒ１ｂにそれぞれ直列に接続された第３の抵抗器である抵抗器Ｒ１ｃとから構成される。
【００３８】
本変形例に係る階調基準電圧生成回路における抵抗ブロック２１Ａ以外の測温抵抗体素子を有する抵抗ブロックも抵抗ブロック２１Ａと同様に、サーミスタと、当該サーミスタに直列に接続された第１の抵抗器と、当該サーミスタおよび第１の抵抗器に並列に接続された第２の抵抗器と、第１の抵抗器および第２の抵抗器にそれぞれ直列に接続された第３の抵抗器とから構成される。
【００３９】
なお、本変形例に係る階調基準電圧生成回路において、測温抵抗体素子を有する各抵抗ブロックの内部構成以外の構成は、実施の形態１に係る階調基準電圧生成回路１１と同様であるので、図示および説明を省略する。
【００４０】
本変形例に係る階調基準電圧生成回路によれば、測温抵抗体素子を有する抵抗ブロックは上記のような構成となっていることから、抵抗ブロックの合成抵抗値をより細かく調整することが可能となる。つまり、階調基準電圧Ｖ０〜Ｖ９の温度依存性をより細かく調整することができる。よって、本変形例に係る階調基準電圧生成回路を備える液晶表示装置において、実施の形態１の効果に加え、より好適な画質調整が可能となる。
【００４１】
＜実施の形態１の第２変形例＞
実施の形態１の第２変形例に係る階調基準電圧生成回路は、実施の形態１に係る階調基準電圧生成回路１１と比較して、抵抗ブロック２１にかわり抵抗ブロック２１Ｂを備える。
【００４２】
図８は、本変形例に係る抵抗ブロック２１Ｂの構成の一例を示す図である。図８に示されるように、抵抗ブロック２１Ｂは、第１の測温抵抗体素子であるサーミスタＴＨ１ａと、サーミスタＴＨ１ａに直列に接続された第２の測温抵抗体素子であるサーミスタＴＨ１ｂと、サーミスタＴＨ１ａおよびサーミスタＴＨ１ｂに並列に接続された抵抗器Ｒ１とで構成される。
【００４３】
本変形例に係る階調基準電圧生成回路における抵抗ブロック２１Ｂ以外の測温抵抗体素子を有する抵抗ブロックも抵抗ブロック２１Ｂと同様に、第１の測温抵抗体素子と、第１の測温抵抗体素子に直列に接続された第２の測温抵抗体素子と、第１の測温抵抗体素子および第２の測温抵抗体素子に並列に接続された抵抗器とで構成される。
【００４４】
なお、本変形例に係る階調基準電圧生成回路において、測温抵抗体素子を有する各抵抗ブロックの内部構成以外の構成は、実施の形態１に係る階調基準電圧生成回路１１と同様であるので、図示および説明を省略する。
【００４５】
本変形例に係る階調基準電圧生成回路によれば、測温抵抗体素子を有する抵抗ブロックは上記のような構成となっていることから、サーミスタの抵抗値の温度抵抗特性の傾き（温度変化による抵抗値の変化量）をより細かく調整することが可能となる。つまり、液晶パネル１３における液晶印加電圧ＶＳの温度電圧特性の傾き（温度変化による液晶印加電圧ＶＳの変化量）をより細かく調整することが可能となる。よって、本変形例に係る階調基準電圧生成回路を備える液晶表示装置において、実施の形態１の効果に加え、より好適な画質調整が可能となる。
【００４６】
＜実施の形態２＞
さて、液晶パネル１３は液晶印加電圧ＶＳに応じて透過率が変化するが、液晶印加電圧ＶＳが大きすぎると透過率が反転することがある。ネガティブ型の液晶パネルにおいては白表示を行う際、一方ポジティブ型の液晶パネルにおいては黒表示を行う際に、液晶印加電圧ＶＳが大きくなる。このため、周囲の温度変化により、透過率の反転が起こる電圧が変わることで、コントラストの低下が起こることが想定される。
【００４７】
そこで、実施の形態２に係る液晶表示装置が備える階調基準電圧生成回路は、表示装置におけるコントラストの温度依存性を補正する機能を有する。
【００４８】
図９は、実施の形態２に係る液晶表示装置１０Ａの構成の一例を示すブロック図である。図９に示されるように、実施の形態２に係る液晶表示装置１０Ａは、実施の形態１に係る液晶表示装置１０と比較して、駆動装置１５にかわり駆動装置１５Ａを備える。駆動装置１５Ａは、階調基準電圧生成回路１１Ａおよび表示ドライバ１２を備える。
【００４９】
本実施の形態に係る階調基準電圧生成回路１１Ａは、実施の形態１に係る階調基準電圧生成回路１１と比較して、抵抗ブロック２０，２５および３０のそれぞれにかわり、抵抗ブロック２０Ａ，２５Ａおよび３０Ａを備える。なお、階調基準電圧生成回路１１Ａにおける、抵抗ブロック２０Ａ，２５Ａおよび３０Ａ以外の構成は、実施の形態１に係る階調基準電圧生成回路１１と同様であるので詳細な図示および説明を省略する。
【００５０】
図９に示されるように、抵抗ブロック２０Ａ，２５Ａ，３０Ａは、それぞれ、他の抵抗ブロック２１〜２４，２６〜２９と同様、抵抗器Ｒ０，Ｒ５およびＲ１０と、抵抗器Ｒ０，Ｒ５およびＲ１０にそれぞれ並列に接続されたサーミスタＴＨ０，ＴＨ５およびＴＨ１０とを備える。これにより、液晶パネル１３における全白、全黒表示時の液晶印加電圧ＶＳの基準電圧となる階調基準電圧Ｖ０，Ｖ４，Ｖ５およびＶ９の温度依存性をより調整しやすくなる。
【００５１】
抵抗ブロック２０Ａ，２１〜２４，２５Ａ，２６〜２９および３０Ａの各合成抵抗値は、階調基準電圧Ｖ０〜Ｖ９を基準電圧として生成される液晶印加電圧ＶＳが液晶パネル１３に印加される場合に、液晶表示装置１０Ａにおけるコントラストの温度依存性を補正するような温度抵抗特性をもつように設定される。これにより、液晶表示装置１０Ａのコントラストの温度依存性の補正の効果を得ることができる。
【００５２】
なお、全黒表示および全白表示それぞれに対応する液晶印加電圧ＶＳを補正することによってコントラストの温度依存性を補正してもよいし、全黒表示および全白表示の一方に対応する液晶印加電圧ＶＳを補正することによってコントラストの温度依存性を補正してもよい。
【００５３】
＜実施の形態３＞
さて、液晶表示装置では焼き付きと呼ばれる現象が生じることがある。焼き付きの発生原因としては種々のものがあるが、一例としては、画素スリット部の絶縁膜／配向膜界面や配向膜／液晶界面などで画像信号の階調に依存して電荷の蓄積（「チャージアップ」とも呼ばれる）が起こり、ＤＣ的な動作点がずれるモードが知られている。そこで、このＤＣ的な焼き付きを軽減する為に予め液晶印加電圧にＤＣオフセットをかける場合がある。一般的に高温時においては焼き付きが悪化することから、このＤＣオフセットにも温度依存性があるものと推定される。
【００５４】
そこで、実施の形態３に係る液晶表示装置が備える階調基準電圧生成回路は、液晶表示装置における液晶印加電圧のＤＣオフセットの温度依存性を補正する機能を有する。
【００５５】
図１０は、本実施の形態における、画像信号の階調と液晶印加電圧との関係を示す図である。図１０に示されるように、本実施の形態では、正極性側の液晶印加電圧ＶＳと負極性側の液晶印加電圧ＶＳとがコモン電圧に対し非対称となるように、階調基準電圧Ｖ０〜Ｖ９を設定する。具体的には、液晶印加電圧ＶＳには、階調が高くなるにつれて徐々にオフセット電圧が高くなるようなＤＣオフセットが加えられている。
【００５６】
また、本実施における各抵抗ブロックの抵抗値は、液晶印加電圧ＶＳのＤＣオフセットの温度依存性を補正するような温度抵抗特性をもつように設定される。これにより、液晶表示装置における液晶印加電圧ＶＳのＤＣオフセットの温度依存性の補正の効果を得ることができる。
【００５７】
なお、図１０の例では、画像信号の階調が高くなるにつれて徐々にオフセット電圧が高くなるようなＤＣオフセットについて説明したが、画像信号の階調が高くなるにつれて徐々にオフセット電圧が低くなるようなＤＣオフセットについても同様の効果が得られる。
【００５８】
なお、上記の各例では、抵抗ブロックが測温抵抗体素子として温度低下により抵抗値が増加するネガティブ型サーミスタを用いる例について示したが、アクティブ型サーミスタであってもよい。また、測温抵抗体素子は、サーミスタでなく、温度低下により抵抗値が低下するリニア抵抗器または白金測温抵抗体などを例とする温度変化に対して電気抵抗の変化の大きい測温抵抗体素子を用いてもよい。さらに、抵抗ブロックは、温度抵抗特性が異なる複数種類の測温抵抗体素子から構成されていてもよい。また、１つの抵抗ブロックが複数の測温抵抗体素子を有する場合には、これらの測温抵抗体素子の全てが同じ種類の測温抵抗体素子であってもよいし、一部が異なる種類の測温抵抗体素子であってもよい。
【００５９】
また、上記の各例では、階調基準電圧生成回路における各抵抗ブロックの抵抗値と表示ドライバ内部の合成抵抗との合成抵抗の計算を省略するために、オペアンプによるボルテージフォア回路を介して階調基準電圧Ｖ０〜Ｖ９が出力される例について説明したが、実施には必ずしもボルテージフォロワ回路を使用する必要はない。
【００６０】
なお、本発明は、その発明の範囲において、各実施の形態を自由に組み合わせたり、各実施の形態を適宜、変形、省略したりすることが可能である。
【符号の説明】
【００６１】
ＢＦ０〜ＢＦ９  バッファ回路、ＩＳ  画像信号、Ｒ０〜Ｒ１０，Ｒ１ａ〜Ｒ１ｃ  抵抗器、ＴＨ０〜ＴＨ９，ＴＨ１ａ，ＴＨ１ｂ  サーミスタ（測温抵抗体素子）、ＶＲ  アナログ電源電圧、ＶＳ  液晶印加電圧、Ｖ０〜Ｖ９  階調基準電圧、１０，１０Ａ  液晶表示装置、１１，１１Ａ  階調基準電圧生成回路、１４ａ，１４ｂ  端子、１５，１５Ａ  駆動装置、２０〜３０，２０Ａ，２１Ａ，２１Ｂ，２５Ａ，３０Ａ  抵抗ブロック、１２  表示ドラバ、１３  液晶パネル。
【図１】
2018116133.tif 000003
【図２】
2018116133.tif 000004
【図３】
2018116133.tif 000005
【図４】
2018116133.tif 000006
【図５】
2018116133.tif 000007
【図６】
2018116133.tif 000008
【図７】
2018116133.tif 000009
【図８】
2018116133.tif 000010
【図９】
2018116133.tif 000011
【図１０】
2018116133.tif 000012